(57)【要約】【課題】布団等の寝具に横になった被介護者を、特別に複雑な構造の用具を用いる必要なく、簡便に容易に、移動することができる身体移動用具を提供する。【解決手段】寝具上に横になっている人を移動する身体移動用具であって、寝具上に横になっている人の身体と、寝具との間に挿し入れて用い、その挿し入れが可能なための剛性を有するとともに、両面１，２が滑り面をなす板状をなし、紐を通す穴を備え、周縁部は前記挿し入れが容易なように断面が滑らかな丸みを帯びた先薄状になっている構造を有し、これにより寝具上に横になっている人の身体と寝具との間に挿し入れて、その身体を滑らせ移動させる。【選択図】図１
0003109542.tif 000002
【実用新案登録請求の範囲】
【請求項１】
移動すべき人を移動する身体移動用具であって、
移動すべき人の身体と、寝具との間に挿し入れて用いるものであり、挿し入れが可能なための剛性を有するとともに、
両面が滑り面をなす板状をなし、
紐を通す穴を備え、
周縁部は前記挿し入れが容易なように断面が滑らかな丸みを帯びた先薄状になっている構造を有することにより、
移動すべき人の身体と寝具との間に挿し入れて、身体を滑らせ移動させて用いる
ことを特徴とする身体移動用具。
【考案の詳細な説明】
【技術分野】
【０００１】
本考案は、身体移動用具に関するもので、特に、布団等の寝具（座布団等、寝具と同様に用い得るものを含む）の上で自力では身体の移動ができない人を移動するために用いる身体移動用具に関するものである。
【背景技術】
【０００２】
病気、その他の事情で、布団等の寝具の上で自力では身体の移動ができない人の身体の移動を要する場合は多い。たとえば、被介護者等、布団等の寝具に横になった人を、移動することが必要となる場合がある。
【０００３】
従来より、自力で身体の移動ができない人を動かすとき、病院では、大きい布（バスタオル等）を敷いた上に寝かせ、介護者二人が布の両側を持って移動させる。
【０００４】
従来の上記のやり方であると、介護者二人は相当の力を出す必要があり、介護者に負担が大きい。場合によっては、たとえば被介護者の体重や介護者の力によっては、二人でも移動可能とは限らず、さらに人数を要する場合もある。
【０００５】
かつ上記の従来技術では、介護者一人だけでの移動は不可能である。移動の際に介護者の腰に与える負担も大きい。被介護者に与える負担もある。
【０００６】
上述したように、介護等に際して、身動きの不自由な被介護者を移動するのは、たいへんに労力を要することである。一般に、介護者が抱きかかえて、動かさなければならない。いわゆる「寝たきり」、もしくはそれに近い被介護者を動かす場合、上記したように一人ではまず無理で、複数の人の介助を要することが多い。被介護者には、体重に富む人もおり、そのときは特にたいへんである。
【０００７】
従来より、布団等の寝具に横になって横臥したままの状態で、被介護者を動かすことができれば、被介護者に与える負担は少なくなる。
【０００８】
しかし上記したように、これは容易には行えず、実際はきわめてたいへんな作業である。
【０００９】
介護は、女性が行う場合が多い。特に我が国においては、家庭内での介護は、女性の役割となっていることがほとんどであると言われており、病院での介護においても、女性の役割であることがある。女性は介護に際して、上記のような被介護者の移動と言ったような「力しごと」を行うのは、非常に負担が大きい。また、病院で自力で動けない患者をベッドに寝かせるとき、あらかじめシーツの上にバスタオルを敷いてから患者をベッドに移すようにし、シーツやバスタオルを交換する時には、患者を左右に半身ずつころがして、作業をするが、この作業のときに、寝具の中心から患者の身体がずれてしまったり、ベッドの頭部を高くしていて（寝たきり患者の場合に多い）、身体が足元へずりさがってしまうことがあるが、このときに身体を正しい位置に戻すことは、簡便にはできなかった。
【００１０】
特許公開２００４−４９２４５には、病人等が自身の力で布団上で容易に動くことができ、あるいは介護者が病人等を容易に移動できるように、表面が滑る特性をもった２枚のシートを表面の滑り面が当接するように重ねて、シート同士の滑り移動の距離での移動を容易ならしめたシートまたはシーツが提案されている。しかしこれは、基本的には重ねた２枚のシート同士がずれる距離でのみの移動が容易になるのであり、かつこの提案は、ある程度自力で動き得る病人等を前提するものである。
【００１１】
特許公開２００１−３２７５５０には、寝具マットがローラーで容易に動くようにして、寝具マット上の患者等をローラーを利用することで寝具マットごと移動する提案がなされている。しかしこれは、ベッド上の寝具マットに関するもので、かつローラーを利用するという点で簡便で無い。ベッドから寝具マットごと患者を動かした後は、従来と同様、結局介護者二人で運ぶことになる。
【００１２】
特開平９−３８１４０には、滑りやすい面と滑りにくい面を持つシート２枚を、滑りやすい面同士で重ねて、患者をベッド上の任意の位置、特に枕もとへ移動するシートが提案されている。しかしこれも、従来技術の問題点は解決していない。
【００１３】
ＷＯ９７／３８６５９には、固定寝台に横たわっている被介護者の身体の下側に可撓性シートを挿入し、該可撓性シートをロッドで手動により引き寄せることで移動寝台に移動させる技術が提案されている。しかしこれは固定寝台から移動寝台への移動のみに使えるものであり、構造も簡便ではない。
【００１４】
登録実用新案第３０６９６８２号には、プラスチック製のメッシュシートを２枚重ね合わせてツルツルと滑りやすい状態にするとともに、被介護者を寝かせる側のメッシュシートの面積を小さくして、下側のメッシュシート上で被介護者を容易に移動させるようにしたシートセットが提案されている。しかしこれも構造の簡明さに欠ける。
【００１５】
登録実用新案第３００９２８６号には、滑りやすい素材のたとえばポリエチレンの、筒状のものを両端を接合してエンドレスのループ状の帯状にして、複数枚を重ねて多層としたものが提案されている。しかしこれは、ベッド等から、運搬車や担架への移動に用いるものであり、かつ、簡便性に欠ける。
【００１６】
特許公開２００２−１７７３４４には、介護用ベッドの両側に２本の支持棒を設け、ベッド上に横臥・仰臥している人が敷いているシートを支持棒間で巻き取って動かすことで、ベッド上の人を移動する技術が提案されている。しかしこれもベッド上での移動であり、従来技術の問題点は残り、かつ回転する支持棒を用いるので簡便で無い。
【００１７】
特開平１０−２３４７９１には、横臥状人体の引き寄せシートに関する技術が提案されているが、これは高分子シート相互間の摩擦係数をさらに低減するものであり、素材についての技術のみが開示されているのみである。
【特許文献１】特許公開２００４−４９２４５
【特許文献２】特許公開２００１−３２７５５０
【特許文献３】特開平９−３８１４０
【特許文献４】ＷＯ９７／３８６５９
【特許文献５】登録実用新案第３０６９６８２号
【特許文献６】登録実用新案第３００９２８６号
【特許文献７】特許公開２００２−１７７３４４
【特許文献８】特開平１０−２３４７９１
【考案の開示】
【考案が解決しようとする課題】
【００１８】
この考案は、上記のような事情においてなされたもので、本考案の目的は、以下のことにある。すなわち本考案は、布団等の寝具に横になった被介護者を、特別に複雑な構造の用具を用いる必要なく、簡便に、移動することができ、かつその際に、従来は複数の人力を要していたのを、単独の介護者によって、また女性や、腕力に富む者でなくても、その移動が力を要さずに比較的簡単に行えるようにして、介護者の負担を大幅に軽減し、しかも被介護者にも特別な負担をかけることなく樂に寝たままでその移動を行うことを可能とした身体移動用具を提供することを目的とする。
【課題を解決するための手段】
【００１９】
本考案に係る身体移動用具は、
移動すべき人を移動する身体移動用具であって、
移動すべき人の身体と、寝具（座布団等、寝具と同様に用い得るものを含む）との間に挿し入れて用いるものであり、挿し入れが可能なための剛性を有するとともに、
両面が滑り面をなす板状をなし、
紐を通す穴を備え、
周縁部は前記挿し入れが容易なように断面が滑らかな丸みを帯びた先薄状になっている構造を有することにより、
前記寝具上に横になっている人の身体と寝具との間に挿し入れて、身体を滑らせ移動させて用いる
ことを特徴とするものである。
この身体移動用具は、寝具上に横になっている人を移動する身体移動用具として、寝具上に横になっている人の身体と、寝具との間に挿し入れて用いるようにし、その挿し入れが可能なための剛性を有するとともに、両面が滑り面をなす板状をなし、かつ紐を通す穴を備え、周縁部は前記挿し入れが容易なように断面が滑らかな丸みを帯びた先薄状になっている構造を有することができる。これにより、寝具上に横になっている人の身体と寝具との間にこの用具を挿し入れて、容易に身体を滑らせ移動させるように用いることができる。
【考案の効果】
【００２０】
本考案に係る身体移動用具は、寝具上に横になっている人の身体と、寝具との間に挿し入れて、この身体移動用具の上にその人の身体を乗せて移動するのであるが、この際、この身体移動用具は、両面が滑り面をなす板状をなし、かつこの身体移動用具に乗せる身体と、寝具との間に挿し入れるときに、ある程度の剛性をもっているので、容易に簡便に挿し入れができる。
【００２１】
よって本考案によれば、この身体移動用具を寝具上に横になっている人の身体と寝具との間に挿し入れて、この身体移動用具上に該寝具上に横になっている人を乗せてその身体を滑らせ移動させるので、身体移動を容易に達成できる。
【００２２】
本考案に係る身体移動用具は、上記の構成であるので、この身体移動用具自体、簡便な構成であって、容易に安価に製造できる。個々の構成の材料等については、後述する。
【００２３】
かつ本考案に係る身体移動用具は、上記の構成の結果、その表面滑り性及び剛性により寝具上に横になっている人の身体と寝具との間に挿し入れることが簡単であり、またこの身体移動用具上に該寝具上に横になっている人を乗せてその身体を滑り移動させることが簡単である。
【００２４】
特別に力を要さず、一人でも、腕力の弱い者でも、容易に被介護者を移動することができる。よって、移動する人（介護者）の負担が著しく軽減され、特に腰に与える負担が少ない。移動される人（被介護者）も、寝たままでよいので、負担が少なくい。病院で、シーツやバスタオルを交換する作業のときに、寝具の中心から患者の身体がずれてしまったり、身体が足元へずりさがってしまうことが起きても、本考案に係る身体移動用具を用いると、身体を正しい位置に戻すことが、簡便にできる。
【考案を実施するための最良の形態】
【００２５】
以下に、本考案の好ましい実施の形態を、図1ないし図５を参照して説明する。ただし当然のことではあるが、本考案は以下述べる実施例に限定を受けるものではない。
【実施例１】
【００２６】
図１ないし図５を参照する。図１ないし図４に示すのは、本考案の身体移動用具の一実施例を示すものである。図１は、本考案の身体移動用具の側面図、図２及び図３は、本考案の身体移動用具の平面図であり、各図により具体的な平面構造を２例、示すものである。図４は周縁部の一例の略示図（図１のＡ部詳細）である。図５は周縁部の参考（対照）例の略示図である。
【００２７】
符号１で本実施例の身体移動用具の表面（移動すべきたとえば横になっている人の側。本明細書中、移動すべき横になっている人等を適宜「被介護者」とも呼ぶ）を示す。符号２で本実施例の身体移動用具の裏面（寝具の側）を示す。
【００２８】
本考案において、身体移動用具の表面１及び裏面２の両面は、滑り性の良い面になっている。各種の滑り面形成技術を用いることができ、各種表面滑面化処理を施したり、滑りやすい面をもつ各種材料から構成できる。
【００２９】
好ましくは、剥離紙の裏紙として使用されているような、すべりの良い素材を用いて、表面１、裏面２を構成できる。本実施例では、裏面２も表面１も同じ素材を用いて構成した。簡便安価に構成するためである。素材としては、たとえば、「ニチアス」製の「家具すべり」のような素材を用いることができる。このような素材を、４５０ｍｍ×５００〜９５０ｍｍ程度にして、表面１、裏面２の両面の外面が滑り性が良くなるように貼って、構成する。ここでは、被介護者の背中から臀部まで届く大きさを想定して、９５０ｍｍ程度の寸法とした。また、臀部を乗せられる大きさを想定して、５００ｍｍ程度の寸法とした。お尻を乗せて、上半身を少し抱き起こし、２、３度、本用具をずらして使うことにより、移動の目的を達成することができる。図２は４５０ｍｍ×９５０ｍｍの例である。また図３は４５０ｍｍ×５００ｍｍの例である。この小さい例であれば、それだけ安価に提供できる。また、必ずしも寝たきりでなく、座布団や椅子に座っていられる人の移動の場合、たとえば身体の向きを変えたりする場合には、小さい方が使いやすいと言える。さらに、床に本用具を置き、その上に滑り止めのシート等、その上に座布団等を置くようにセットすれば、その座布団等の上に座って、自分の手を使って、室内を移動することが可能である。車椅子の座布団版のように使用することができるわけである。上半身は健常で、足だけが不自由という人には、このような使い方をすることができる。ただし当然ではあるが、本考案の身体移動用具の大きさは任意であり、被介護者の所望の移動し得る大きさであれば良い。
【００３０】
本考案の身体移動用具には、紐を通す穴を形成する。図２の例は、長手方向の前後に２個所、穴１１，１２を設けた場合の例を示す。図３の例は、短いタイプであるので、１個所の穴１３を設けた場合の例である。この穴は、用具の使用後、身体の下から用具を引き抜くためのてがかりとしての紐を通す穴である。用具の周縁部に穴をあきて、直接指を入れて引き抜くようにすると、穴が身体の下になることもあり得、指をいためることがあるので、穴に紐を通すようにして、安全に使いやすくしたのである。
【００３１】
本考案の身体移動用具の厚さは、被介護者の必要な移動が可能な厚さであれば任意である。繰り返し使用しても破損しない程度の厚さにすればよいが、なるべく薄い方が好ましい。
【００３２】
本考案の身体移動用具は、被介護者の身体と寝具との間に押し込んで挿し入れるられる硬さが必要であり、このために該挿し入れが可能なための剛性を有している。押し込みができないような柔らかさでは不可であり、押し込みの際に変形が生じないようにする。
【００３３】
本考案の身体移動用具の周縁部は、ひっかかりを無くし、滑らかにすることが好ましい。たとえば熱、あるいは薬品等による処理で、ひっかかりが無く、滑らかになるようにする。
【００３４】
本考案の身体移動用具の周縁部は、押し込んで挿し入れるのを容易にするために断面が滑らかな丸みを帯びた先薄状にする。たとえば周縁部は、図４（図１のA部詳細）に示すように、丸みを持たせる。これにより円滑で危険性の無い操作が可能になる。図５のように先端が先鋭であることは望ましくない。
【００３５】
上述したように、本考案によれば、従来技術の問題点を一掃した、容易に簡便に操作が出来る身体移動用具が提供できる。特に、身体移動を容易に達成できるばかりでなく、それ自体、簡便な構成であって、容易に安価に製造できる。寝具上に横になっている人の身体と寝具との間に挿し入れることが簡単であり、移動すべき人の身体を滑り移動させることが簡単である。特別に力を要さず、一人でも、腕力の弱い者でも、容易に被介護者を移動することができ、移動する人（介護者）の負担が著しく軽減され、移動される人（被介護者）も、たとえば寝たままでよいので、負担が少ない。
【図面の簡単な説明】
【００３６】
【図１】本考案の身体移動用具の一例の側面図である。
【図２】本考案の身体移動用具の一例の平面図である。
【図３】本考案の身体移動用具の他の一例の平面図である。
【図４】本考案の身体移動用具の周縁部形状の一例の略示図である。
【図５】参考例の身体移動用具の周縁部形状の略示図である。
【符号の説明】
【００３７】
１    身体移動用具の表面
２    身体移動用具の裏面
１１，１２，１３…（紐を通す）穴
【図１】
0003109542.tif 000003
【図２】
0003109542.tif 000004
【図３】
0003109542.tif 000005
【図４】
0003109542.tif 000006
【図５】
0003109542.tif 000007